(57)【要約】【課題】パーティションの高さを変更することができ、簡易な構成で、遮音性及び静粛性に優れた薄型の昇降式パーティション及びこれを用いたシートを提供する。【解決手段】昇降式パーティション１は、平板状の仕切パネル１０と、仕切パネル１０を固定パーティション５に対して上下させるための昇降手段２０と、を備え、昇降手段は、固定パーティションの内側面又は仕切パネルの表面に固定され、上下端に一対の張架部が設けられたガイド部材と、ガイド部材の一対の張架部に回動可能に張り架けられた無端ベルトと、無端ベルトに仕切パネルを固定する固定部材と、を具備し、着座者の手動により仕切パネルが昇降する。【選択図】図１
2019141360.tif 000002
【特許請求の範囲】
【請求項１】
シートの側方に立設された固定パーティションの上端部から仕切パネルが突出可能に配設された昇降式パーティションであって、
平板状の仕切パネルと、前記仕切パネルを前記固定パーティションに対して上下させるための昇降手段と、を備え、
前記昇降手段は、
前記固定パーティションの内側面又は前記仕切パネルの表面に固定され、上下端に一対の張架部が設けられたガイド部材と、
前記ガイド部材の前記一対の張架部に回動可能に張り架けられた無端ベルトと、
前記無端ベルトに前記仕切パネルを固定する固定部材と、を具備し、
着座者の手動により前記仕切パネルが昇降することを特徴とする昇降式パーティション。
【請求項２】
前記ガイド部材は、前記仕切パネルの表面に対する垂直方向及び左右方向の動きを規制するための前記無端ベルトの規制手段を備える請求項１記載の昇降式パーティション。
【請求項３】
前記固定部材は、前記無端ベルトと前記仕切パネルとを着脱可能に設けられている請求項１又は２に記載の昇降式パーティション。
【請求項４】
前記固定部材は、複数個所に設けられている請求項１乃至３のいずれかに記載の昇降式パーティション。
【請求項５】
前記無端ベルトの表面及び裏面の少なくとも一方に、前記無端ベルトの剛性を保持するための軟質板部材が取着されている請求項１乃至４のいずれかに記載の昇降式パーティション。
【請求項６】
前記ガイド部材は、前記無端ベルトの張力を保持するために前記無端ベルトの表面を押圧する突出部材を備える請求項１乃至５のいずれかに記載の昇降式パーティション。
【請求項７】
請求項１乃至６のいずれか１項に記載の昇降式パーティションを備えたシート。
【発明の詳細な説明】
【技術分野】
【０００１】
本発明は、昇降式パーティション及びこれを用いたシートに関する。更に詳しくは、簡易な構造で、遮音性及び静粛性に優れた薄型の昇降式パーティション及びこれを用いたシートに関する。
に関する。
【背景技術】
【０００２】
映画館、劇場の観客用、乗り物の乗客用のシート等には、隣に着座した客を気にすることなく快適に観賞、観劇したり搭乗したりできるよう、隣のシートとの間にパーティションが設置されたものがある。ところが、パーティションの高さは身長が平均的な１７０ｃｍぐらいである観客、乗客を基準にして設定され、その高さに固定された固定式のものが多い。そのようなパーティションの場合、身長の低い小柄な観客、乗客が着座すると、パーティションが頭部より高い位置まで立ち塞がるので、圧迫感、閉塞感を覚えることがあった。また、着座者の耳元付近にパーティションが立ち塞がっているため音声が遮られ、映画や演劇の音響効果が低下することがあった。一方、着座者の目の位置がパーティションより下になってしまう場合には、隣の家族や親しい友人等との会話が妨げられたりした。そこで、着座者の身長等に合わせて高さを調整できるパーティションが求められている。
【０００３】
ところで、特許文献１には、パチンコ機などの遊技機で遊技を行なう遊技者の間を仕切る間仕切りユニットが開示されている。間仕切りユニットを構成する仕切り板は、収納部に引き戸式にスライド移動して出し入れされ、引き出された状態では、隣り合う遊技機で遊技を行なう遊技者間の間仕切りとなる。仕切り板は、具体的には、スライドレールによって上部を吊り下げるように支持され、下部はガイド部によって仕切り板の厚み方向に位置規制される構成となっている。このような飛び出し量を調整できる仕切り板の技術を観客用、乗客用のシートのパーティションに応用してパーティション本体の上部に仕切り板を設置し、この仕切り板を上下方向にスライドして移動できるようにすれば、パーティションの高さを変更することも可能となる。
【先行技術文献】
【特許文献】
【０００４】
【特許文献１】特開２０１４−２２６４８２号公報
【発明の概要】
【発明が解決しようとする課題】
【０００５】
しかし、特許文献１に記載の間仕切りユニットは、仕切り板をレールに取り付けて遊技機に対して前後方向にスライドして移動するものであるため、移動時に仕切り板がレールと擦れて摺動音、作動音が発生する。このような可動パーティションの摺動音や作動音は着座者及び周辺には耳障りな音となり、映画館や劇場、乗り物等の静粛性、快適性を低下させるという問題がある。また、レールを備える必要があるため、パーティション全体が厚くなってしまうという問題がある。
【０００６】
本発明は上記実情に鑑みてなされたものであり、着座者の体格や身長に応じてパーティションの高さを変更することができ、簡易な構成で、遮音性及び静粛性に優れた薄型の昇降式パーティション及びこれを用いたシートを提供することを目的とする。
【課題を解決するための手段】
【０００７】
前記問題点を解決するために、請求項１に記載の発明は、シートの側方に立設された固定パーティションの上端部から仕切パネルが突出可能に配設された昇降式パーティションであって、平板状の仕切パネルと、前記仕切パネルを前記固定パーティションに対して上下させるための昇降手段と、を備え、前記昇降手段は、前記固定パーティションの内側面又は前記仕切パネルの表面に固定され、上下端に一対の張架部が設けられたガイド部材と、前記ガイド部材の前記一対の張架部に回動可能に張り架けられた無端ベルトと、前記無端ベルトに前記仕切パネルを固定する固定部材と、を具備し、着座者の手動により前記仕切パネルが昇降することを要旨とする。
請求項２に記載の発明は、請求項１に記載の発明において、前記ガイド部材は、前記仕切パネルの表面に対する垂直方向及び左右方向の動きを規制するための前記無端ベルトの規制手段を備えることを要旨とする。
請求項３に記載の発明は、請求項１又は２に記載の発明において、前記固定部材は、前記無端ベルトと前記仕切パネルとを着脱可能に設けられていることを要旨とする。
請求項４に記載の発明は、請求項１乃至３のいずれかに記載の発明において、前記固定部材は、複数個所に設けられていることを要旨とする。
請求項５に記載の発明は、請求項１乃至４のいずれかに記載の発明において、前記無端ベルトの表面及び裏面の少なくとも一方に、前記無端ベルトの剛性を保持するための軟質板部材が取着されていることを要旨とする。
請求項６に記載の発明は、請求項１乃至５のいずれかに記載の発明において、前記ガイド部材は、前記無端ベルトの張力を保持するために前記無端ベルトの表面を押圧する突出部材を備えることを要旨とする。
請求項７に記載の発明は、請求項１乃至６のいずれか１項に記載の昇降式パーティションを備えたシートであることを要旨とする。
【発明の効果】
【０００８】
１．本発明の昇降式パーティションによれば、固定パーティションの上端部から突出可能に配設された仕切パネルを前記固定パーティションに対して上下させるための昇降手段を備えているため、簡易な薄型の構成で、遮音性及び静粛性に優れている。すなわち、この昇降手段によれば、固定パーティションに固定されたガイド部材に張り架けられた無端ベルトを回動させることで、作動音を発生させることなく仕切パネルを昇降することができる。そして、パーティションが平均的な身長の人を基準に設定されているシートに身長の低い人が着座するときには、着座者の手動（押し下げ操作等）により仕切パネルを下降させ、身長の高い人が着座するときには、着座者の手動（押し上げ操作等）により仕切パネルを上昇させることができる。このように、着座者はパーティションを自己の身長や体格に適応した高さに調整することができ、それにより、圧迫感がなくなり視界に解放感が得られる。また、音響効果の低下を防止することができる。更には、隣のシートに着座した家族や友人などとの会話も容易となる。
２．ガイド部材が、仕切パネルの表面に対する垂直方向及び左右方向の動きを規制するための無端ベルトの規制手段を備えている場合には、無端ベルトの動きを規制でき、仕切パネルが固定パーティションから離間したり左右に揺れたりすることを防止することができる。
３．固定部材が、無端ベルトと仕切パネルとを着脱可能に設けられている場合には、仕切パネルを固定パーティションから取り外して取り付け箇所をメンテナンスしたり、仕切パネルを交換したりすることが容易になる。
４．固定部材が、複数個所に設けられている場合には、無端ベルトと仕切パネルを確実に固定することができる。また、無端ベルトに対する仕切パネルの取り付け位置を変更することが可能になる。
５．無端ベルトの表面及び裏面の少なくとも一方に、無端ベルトの剛性を保持するための軟質板部材が取着されている場合には、無端ベルトが撓んだりガイド部材から脱落したりするのを防ぐことができる。
６．ガイド部材が、無端ベルトの張力を保持するために無端ベルトの表面を押圧する突出部材を備えている場合には、無端ベルトの緩みを防ぎ、緊張状態を保持することができる。
７．前記１．乃至６．のいずれか１項に記載の昇降式パーティションを備えたシートは、それぞれの効果を奏する昇降式パーティションを備えることにより、簡易な構成でパーティションを薄型にすることができ、着座者が自己の身長に応じてパーティションの高さを調整することが可能であり、しかも遮音性及び静粛性に優れたシートとすることができる。
【図面の簡単な説明】
【０００９】
本発明について典型的な実施形態の非限定的な例を挙げ、言及された複数の図面を参照しつつ以下の詳細な記述にて更に説明するが、同様の参照符号は図面のいくつかの図を通して同様の部品を示す。
【図１】昇降式パーティションを備えたシートを示す模式的な斜視図である。
【図２】実施例１の昇降式パーティションを固定パーティションに取り付ける状態を示す模式的な斜視図である。
【図３】図２のＡ−Ａ断面図である。
【図４】実施例１の昇降式パーティションに係り、昇降手段の模式的な斜視図である。
【図５】図４のＢ−Ｂ断面図である。
【図６】図４のＣ−Ｃ端面図である。
【図７】実施例２の昇降式パーティションに係り、昇降手段の模式的な斜視図である。
【図８】図７のＤ−Ｄ断面図である。
【図９】図８のＥ−Ｅ断面図である。
【図１０】実施例３の昇降式パーティションに係り、昇降手段の模式的な部分斜視図である。
【発明を実施するための形態】
【００１０】
以下、本発明を、図を参照しながら詳しく説明する。
ここで示される事項は例示的なもの及び本発明の実施形態を例示的に説明するためのものである。本発明の原理と概念的な特徴とを最も有効に且つ難なく理解できる説明であると思われるものを提供する目的で述べたものである。この点で、本発明の根本的な理解のために必要である程度以上に、本発明の構造的な詳細を示すことを意図するものでない。図面と合わせた説明によって本発明の幾つかの形態が実際にどのように具現化されるかを当業者に明らかにするものである。
【００１１】
［Ｉ］昇降式パーティション
本実施形態に係る昇降式パーティションは、シートの側方に立設された固定パーティションの上端部から仕切パネルが突出可能に配設され、平板状の仕切パネルと、前記仕切パネルを前記固定パーティションに対して上下させるための昇降手段と、を備えている。
［１］シート及び固定パーティション
実施形態として、図１は、映画館や劇場等に設置されるシートの例を模式的に示したものである。図１において、シート６は、着座部６０、背凭れ７０及び肘掛け８０を有している。本例においては、肘掛け８０が左右両側に設けられ、肘掛け８０には飲食物用のカップやトレーを載せる台８５を備えている。また、左側には手荷物等を載置する置台９０が設置されている。尚、肘掛け８０は備えられていなくてもよいし、シート６の左右の一方側のみに設けられていてもよい。
そして、シート６の左右両側には、隣のシート６又は隣接する通路との境界部となる固定パーティション５が立設されている。固定パーティション５はシート６の左右の一方側のみに設けられていてもよい。
【００１２】
［２］仕切パネル
仕切パネルは、例えば図１に示す仕切パネル１０のように、シート６の側方に立設された固定パーティション５の上端部から突出可能に配設されている。本図においては、固定パーティション５の上端が背凭れ７０と同じ高さに描かれているが、固定パーティション５の上端部の高さは任意であり、例えば肘掛け８０と同程度の高さであってもよい。固定パーティション５及び仕切パネル１０は、任意の形状とすることができる。
仕切パネル１０は平板状であるが、その表面形状は平面である必要はなく、湾曲していてもよい。また、仕切パネル１０の厚さや外形も特に限定されない。
仕切パネル１０の材質は、特に限定されず、樹脂材、木製材、木目鋼板など任意の素材により形成することができる。例えば、図３に示すように、仕切パネル１０は、樹脂板１５を本体として、それを布材１１で被覆してもよい。布材で被覆することで吸音性を高めることができる。
【００１３】
［３］昇降手段
昇降手段２０は、前記仕切パネルを前記固定パーティションに対して上下させる手段であり、ガイド部材と、無端ベルトと、固定部材を具備する。
（１）ガイド部材
ガイド部材は、固定パーティションの内側面又は仕切パネルの表面のいずれかに固定され、無端ベルトを張り架けるための部材であり、その上下端に一対の張架部が設けられている。この構成を有すれば形状は特に限定されないが、通常は、上下方向に長い略長方形状の板状体又は枠体とすることができる。ガイド部材の個数は特に限定されず１〜３個とすることができ、通常２個である。
例えば、図４に示すように、ガイド部材２１は、全体形状が略長方形状であり、長方形状の本体部２１ｆと、その本体部２１ｆの側方に、本体部２１ｆを固定するための支持固定部２１ｅが形成されている。支持固定部２１ｅに設けられた孔部２１ｈに固着具で固定パーティション５に固定することができる。
【００１４】
そして、ガイド部材２１の上下端に一対の張架部２１ａ、２１ａが設けられている。張架部２１ａは、上下端に一対設けてあれば特に限定されず、ガイド部材２１本体と別体に棒状又は管状等の部材を本体に接続して形成してもよいし、図５に示すように、本体の上端を丸巻き形成してもよい。張架部２１ａは、後述の無端ベルトを滑らかに回動可能とするため、無端ベルトと接する外周断面が円弧形状であることが好ましい。
更に、張架部は、図１０に示すように、支持固定部２２ｅの内側に高さ調整可能に形成された棒状部材４５を上部で折り曲げて張架部４５ａを形成し、無端ベルト２６を張り架けるようにすることもできる。
図４に示すように、無端ベルト２５は、一対の張架部２１ａ、２１ａの間を摺動して回動する。ガイド部材２１の本体部２１ｆは、支持固定部２１ｅによって固定パーティション５から離間して支持されているため、無端ベルト２５は、固定パーティション５に対して所定の隙間が維持される状態で回動し、固定パーティション５の表面と擦れることがない。
【００１５】
なお、仕切パネル１０の表面にガイド部材２１を固定したものをユニットとすることも可能である。更に、仕切パネル１０の表面に昇降手段２０を固定したものをユニットとすることもできる。
ガイド部材の材質は特に限定はなく、樹脂製、木製、金属製とすることができ、通常、強度及び加工性に優れた金属製とすることができる。
【００１６】
図７に示すガイド部材３１のように、更に仕切パネル１０の表面に対して垂直方向、及び仕切パネル１０の左右方向の動きを規制するため、無端ベルト２５の規制手段３２を備えることが好ましい。規制手段３２を備えている場合には、無端ベルト２５の動きが規制されるため、仕切パネル１０が固定パーティション５から離間したり左右に揺れたりすることを防ぐことができる。
規制手段３２は、無端ベルト２５の垂直方向及び左右方向の動きを規制することができれば特に形状、構造、位置、数等は限定されない。規制手段として無端ベルト２５を覆う別体の部材を備えてもよいが、ガイド部材３１のように、ガイド部材３１の本体部２１ｆの側部に本体部２１ｆから延長した板片を内側に折り曲げて無端ベルト２５を覆うように形成してもよい。また、図７に示す例では、規制手段３２は上下方向中央に一対形成されているが、上下方向上下端付近それぞれに一対ずつ形成してもよいし、上下方向の全体を覆うように形成してもよい。
【００１７】
更に、図７及び図８に示すように、ガイド部材３１には、無端ベルト２５の張力を保持するために無端ベルト２５の表面を押圧する突出部材３３を備えることが好ましい。突出部材３３により無端ベルトの緩みを防ぎ、緊張状態を保持することができる。
突出部材３３は、無端ベルト２５の張力を保持するために押圧する部材であれば、材質、形状、位置等は特に限定されず、ガイド部材３１のように、ガイド部材３１の本体部２１ｆの背面に湾曲状の板片を接続形成してもよいし、本体部２１ｆ自体を変形して形成してもよい。ガイド部材３１は本体部２１ｆの背面中央に形成されているが、上下端近傍に形成されていてもよく、また複数個所に形成されていてもよい。更に、突出部材は、直方板状、半球状などでガイド部材に突出形成されていてもよい。
【００１８】
（２）無端ベルト
無端ベルトは、ガイド部材の一対の張架部に回動可能に張り架けられる部材であり、仕切パネルを固定する固定部材を具備している。
例えば、図４及び図５に示すように、無端ベルト２５は、ガイド部材２１の一対の張架部２１ａに回動可能に張り架けられている。無端ベルト２５は、更に、仕切パネル１０を固定する後述の固定部材を具備している。
無端ベルトの形状は特に限定はないが、全周の長さは、ガイド部材に緊張して張り架けられ、幅は、ガイド部材の幅と略同一であることが好ましい。無端ベルトの材質は特に限定されず、樹脂製、革製、布製等とすることができる。これらの中でも特に布製であることが好ましい。布製であれば、作動（回動）時の摺動音を抑制することができる。また、剛性を高めるために、無端ベルトは異なる素材（例えば、布、軟質樹脂、フェルト等）を貼り合わせたり、異なる素材で被覆されたりして形成されていてもよい。
無端ベルトの表面及び裏面の少なくとも一方に、無端ベルトの剛性を保持するための軟質板部材が取着されていることが好ましい。これにより、無端ベルトの撓みを防ぐと共に、回動時の摺動音を更に抑制することができる。
【００１９】
（３）固定部材
固定部材は、無端ベルトと仕切パネルとを固定する部材である。固定部材が無端ベルトと仕切パネルとを着脱可能に設けられている場合には、仕切パネルを固定パーティションから取り外してメンテナンスしたり、仕切パネルを交換したりすることが容易になる。
例えば、図２に示す固定手段２８は、固定パーティション５の内側面に固定された昇降手段２０の無端ベルト２５と、仕切パネル１０とが着脱可能に設けられている。
固定部材の材質、形状、位置、数等は、無端ベルトと仕切パネルとを着脱可能に固定することができる限り特に問わず、止め具、面ファスナーなどを使用することができる。例えば図３及び図５にそれぞれ示すように、固定部材２８としてのスナップボタンは、雄型ボタン２８ａと、雌型ボタン２８ｂとからなり、これらを一組として、無端ベルト２５と仕切パネル１０とを着脱可能に固定することができる。本例においては、雄型ボタン２８ａは仕切パネル１０の樹脂板１５を被覆する布材１１に固着し、雌型ボタン２８ｂは無端ベルト２５に直接固着されている。
固定部材は複数個所に設けられていることが好ましい。それにより、無端ベルト２５と仕切パネル１０を確実に固定することができる。また、無端ベルト２５と仕切パネル１０の相対的な位置を変更可能にすることも可能である。例えば、実施形態のスナップボタンであれば、２〜８組設けることが好ましい。
固定部材が広い接着面を確保できる面ファスナーであるような場合には、固定部材の種類によって面積や数を適宜変更することができる。
【００２０】
無端ベルトの仕切パネルとの接続部には、無端ベルトの剛性を保持するための軟質板部材が取着されていることが好ましい。例えば、図７に示すように、無端ベルト２５の表面に軟質板部材３６を取着しておくことができる。こうすることで、無端ベルト２５が撓むのを防ぐことができ、仕切パネルを安定に保持することができる。
軟質板部材としては、各種のフェルト及び樹脂発泡体等を用いることができる。フェルトとしては、ポリエステル繊維、ポリアミド繊維、アクリル繊維等を用いて製造されたフェルトを使用することができ、特にポリエステル繊維を用いて製造されたフェルトが好ましい。また、樹脂発泡体としては、ポリウレタン樹脂、ポリオレフィン樹脂等を用いて製造された樹脂発泡体を使用することができ、ポリウレタン樹脂発泡体が好ましい。
【００２１】
［ＩＩ］昇降式パーティションを備えたシート
本実施形態に係る昇降式パーティションを備えたシート６は、図１に示すように、左右両側に隣のシート６又は通路との境界部に固定パーティション５が立設されている。固定パーティション５はシート６の左右の一方側のみに設けてもよい。
前記のとおり、昇降式パーティションは、シートの側方に立設された固定パーティションの上端部から仕切パネルが突出可能に配設されている。昇降式パーティションは、左右両側に備えられていても、一方側のみに配設されていてもよい。
昇降式パーティション１をシート６に配設するには、例えば、昇降手段２０を用意し、そのガイド部材２１に形成された孔部２１ｈに螺子などの固着具で、昇降手段２０を固定パーティション５に固定する。そして、仕切パネル１０に設けられた固定部材２８ａを昇降手段２０の無端ベルト２５に形成された固定部材２８ｂに取り付けることにより、仕切パネル１０が無端ベルト２５に固定される。
【実施例】
【００２２】
以下、実施例により更に具体的に本発明に係る昇降式パーティションを説明する。
［実施例１］
本発明を具体化した昇降式パーティション１は、平板状の仕切パネル１０と、仕切パネル１０を固定パーティション５に対して上下させるための昇降手段２０と、を備えている。仕切パネル１０は、図１に示すように、シート６の側方に立設された固定パーティション５と対向しており、固定パーティション５の内側面に沿って上下に移動可能とされている。本例においては、固定パーティション５は上部が略逆台形状に形成されており、仕切パネル１０はそれより小さな相似形状とされている。固定パーティション５と仕切パネル１０とに挟まれる昇降手段２０は、着座者や外部からは見えないようにされている。また、仕切パネル１０が下降した状態では、仕切パネル１０の大半が固定パーティション５の内側に隠れるようにすることも可能である。
仕切パネル１０は、アクリル樹脂からからなる板材１５を布材１１で被覆してある。表面を布材とすることにより吸音効果を得ることができる。
【００２３】
昇降手段２０は、ガイド部材２１、無端ベルト２５、固定部材２８（図２参照）備えている。ガイド部材２１は、図４に示すように、ステンレス製で一体に形成され、長方形状の本体部２１ｆと、その本体部２１ｆの上下端幅方向にそれぞれ一対ずつ本体部２１ｆを固定して支持するための支持固定部２１ｅと、上下端に一対の張架部２１ａ、２１ａが丸巻き形成してある。ガイド部材の材質はステンレス製であるため、強度及び加工性に優れている。
無端ベルト２５は、ガイド部材２１の張架部２１ａ、２１ａにある程度の緊張状態を維持して張り架け可能な周方向の長さに設定してある。また幅は、ガイド部材の本体部２１ｆと同一である。無端ベルト２５は布製であり、ガイド部材２１の張架部２１ａ、２１ａに張り架けられている。
無端ベルト２５の表面には、雌型ボタン２８ｂが、上下方向中ほどに離間して２個、上下方向下部に、同様に２個固着されている。一方、仕切パネル１０側には、図２、図３に示すように、無端ベルト２５に設けられた雌型ボタン２８ｂに対応して、雄型ボタン２８ａが４個ずつ取り付けられている。
【００２４】
昇降式パーティション１をシート６に配設するには、まず、昇降手段２０のうちのガイド部材２１を固定パーティション５の内側表面に左右２個固定する。具体的には、ガイド部材２１に形成された孔部２１ｈに螺子などの固着具で、固定パーティション５に固定する。そして、無端ベルト２５を少し引き伸ばして、２個のガイド部材２１のそれぞれの上下端の一対の張架部２１ａ、２１ａに張り架ける。そして、仕切パネル１０に設けた雄型ボタン２８ａを、昇降手段２０の無端ベルト２５に設けた雌型ボタン２８ｂに取り付けて固定する。
【００２５】
図１に示した昇降式パーティション１において、固定パーション５の上端部に対して仕切パネル１０が下降した状態から上昇させるには、着座者が仕切パネル１０を押し上げればよい。仕切パネル１０の上端を把持して持ち上げるようにしてもよい。一方、仕切パネル１０が上昇した状態から下降させるには、着座者が仕切パネル１０を押し下げればよい。仕切パネル１０の上端を押し下げてもよい。そうすると、仕切り板１０が固定された無端ベルト２５は、ガイド部材２１の上下端に設けられた一対の張架部２１ａ、２１ａを摺動して回動する。この場合、ガイド部材２１の本体部２１ｆは、支持固定部２１ｅによって固定パーティション５から離間して支持されている。よって、無端ベルト２５は、固定パーティション５に対して所定の隙間が維持される状態で回動し、固定パーティション５の表面と擦れることがない。
また、昇降手段２０が左右２個配設されているため、仕切パネル１０が幅方向に安定して保持され、仕切パネル１０が固定パーティション５と接触するのを防ぐことができる。
これらにより、高さ変更時に発生する耳障りな作動音を抑えることができる。
【００２６】
［実施例２］
昇降式パーティション２は、図７〜図９に示すように、平板状の仕切パネル１０と、仕切パネル１０を固定パーティション５に対して上下させるための昇降手段３０と、を備えている。仕切パネル１０は、実施例１の昇降式パーティション１の場合と構成、作用効果は同一であるため説明を省略する。
【００２７】
昇降手段３０のガイド部材３１は、実施例１のガイド部材２１の構成をそのまま有しつつ、更に、規制手段３２及び突出部材３３を備えている。ガイド部材３２はステンレス製で、規制手段３２及び突出部材３３も一体に形成することが可能である。
ガイド部材３１は、図７〜図９に示すように、ガイド部材３１の本体部２１ｆの側部に接続した板片を内側に折り曲げて、無端ベルト２５の表面及び側面を覆うように形成した規制手段３２を備えている。こうすることで、無端ベルト２５の動きを規制することができる。
更に、ガイド部材３１は、ガイド部材３１の本体部２１ｆの背面に湾曲状の板片を接続形成した突出部材３３を有している。こうすることで、突出部材３３が無端ベルト２５の表面を押圧し、無端ベルト２５の張力を保持することができる。
【００２８】
昇降手段３０の無端ベルト３５は、実施例１の無端ベルト２５の構成をそのまま有しつつ、更に、軟質板部材３６を備えている。本例においては、無端ベルト２５の表面に軟質板部材３６として縦長長方形状のポリウレタン樹脂発泡体が取着されている。そして、雌型ボタン２８ｂが周囲４カ所に設けられている。雌型ボタン２８ｂは、図９に示すように無端ベルト２５と軟質板部材３６を貫通して固着されている。軟質板部材３６が無端ベルト２５に取着されていることで、無端ベルトの剛性が保持され、無端ベルトの撓みを防ぎ、仕切パネル１０を安定して固定することができる。なお、軟質板部材３６は、平面視で規制手段３２の折り曲げ片端部より内側に位置しているため、無端ベルト３５が昇降しても、軟質板部材３６が規制手段３２と接触することはない。
【００２９】
［実施例３］
実施例３の昇降式パーティション３は、実施例１の昇降パーティション１において、ガイド部材２１に代えて、ガイド部材２２を用いた例である。
ガイド部材２２は、図１０に示すように、支持固定部２２ｅの内部に高さ調整可能に形成された棒状部材４５を上部で折り曲げて張架部４５ａを形成し、無端ベルト２６を張り架けるようにしたものである。これにより、棒状部材４５を上下させて張力の調整を行うことが可能となる。例えば、無端ベルト２６の長期の使用により、弛みが生じたような場合、棒状部材４５を持ち上げて（すなわち１対の張架部４５ａの間隔を大きくして）、張力を増すことができる
【００３０】
前述の実施例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３１】
本発明は上記で詳述した実施形態に限定されず、本発明の請求項に示した範囲で様々な変形または変更が可能である。
【産業上の利用可能性】
【００３２】
映画館、劇場、乗物等の座席に立設されて隣合うシートの間を仕切るパーティションの技術として広く利用される。
【符号の説明】
【００３３】
１、２、３、；昇降式パーティション、５；固定パーティション、６；シート、１０；仕切パネル、２０、３０、４０；昇降手段、２１、３１、４１；ガイド部材、２１ａ、４５ａ；張架部、２５、２６、３５；無端ベルト、２８；固定部材、３２；規制手段、３３；突出部材、３６；軟質板部材。
【図１】
2019141360.tif 000003
【図２】
2019141360.tif 000004
【図３】
2019141360.tif 000005
【図４】
2019141360.tif 000006
【図５】
2019141360.tif 000007
【図６】
2019141360.tif 000008
【図７】
2019141360.tif 000009
【図８】
2019141360.tif 000010
【図９】
2019141360.tif 000011
【図１０】
2019141360.tif 000012